(57)【要約】【課題】            高所低所に拘らず、室外に臨むエアーフィルタの機能回復を簡単に実施することができる給気換気システムを得る。【解決手段】        室内外を連絡する三つの独立した風路２，３，４を構成し、風路２，３，４の一つには室外に臨むエアーフィルタ５を設け、他の風路３，４の二つには、これらの風路３，４を開閉する電動ダンパ６，７を設け、室内には、これらの二つの風路３，４の一つを吸込み風路とし、他の一つの風路４を吹出し風路とする送風機８を設け、吸込み風路の電動ダンパ６を閉じたときには、吹出し風路の電動ダンパ７を開き、吸込み風路の電動ダンパ６を開いたときには、吹出し風路の電動ダンパ７を閉じるようにし、吸込み風路の電動ダンパ６を閉じる時間の方が開く時間より長時間に亘るようにする。【選択図】          図２
2008014540.tif 000002
【特許請求の範囲】
【請求項１】
室内外を連絡する三つの独立した風路を構成し、この風路の一つには室外に臨むエアーフィルタを設け、他の風路の二つには、これらの風路を開閉する電動ダンパを設け、室内には、これらの二つの風路の一つを吸込み風路とし、他の一つの風路を吹出し風路とする送風機を設け、前記吸込み風路の前記電動ダンパを閉じたときには、前記吹出し風路の前記電動ダンパを開き、前記吸込み風路の前記電動ダンパを開いたときには、前記吹出し風路の前記電動ダンパを閉じるようにし、前記吸込み風路の前記電動ダンパを閉じる時間の方が開く時間より長時間に亘るようにした給気換気システム。
【請求項２】
請求項１に記載の給気換気システムであって、二つの電動ダンパの開閉動作をタイマーにより制御した給気換気システム。
【請求項３】
請求項１に記載の給気換気システムであって、吹出し風路の電動ダンパを、エアーフィルタの圧力損失が所定より高くなってから所定の間閉じるようにした給気換気システム。
【発明の詳細な説明】
【技術分野】
【０００１】
本発明は、給気によって室内を換気する給気換気システムに関するものである。
【背景技術】
【０００２】
工場、倉庫、体育館、食堂等には内部に給気するための給気口が設けられ、給気口には換気扇が設けられているものがある。給気口にはエアーフィルタが取付けられ、換気扇によって吸込まれる外気に混在した塵埃を捕集するようになっている。エアーフィルタが目詰まりすると給気風量が低下するので、エアーフィルタを清掃する必要がある。給気口は、高所に設けられている場合が多く、エアーフィルタの清掃が困難なことも多く、換気扇の電動機を反対に回してエアーフィルタに逆方向の風を送り、エアーフィルタに捕集された塵埃を払落とすようにしたものもある（なお、この種の従来技術としては例えば、特許文献１に示されたものがある）。
【０００３】
【特許文献１】特開平５−１５７３００号公報
【発明の開示】
【発明が解決しようとする課題】
【０００４】
プロペラファンでは給気用の換気扇の電動機を逆転させれば、反対向きの風が形成されるが、給気に比べどうしても風量、風速は低下する。従って、給気流とともに吸込まれ、エアーフィルタに捕集された塵埃は、電動機の逆転による逆風の作用では簡単には払拭することはできなかった。捕集された塵埃を綺麗に除去するには、給気運転で使用した時間より長い時間をかけて逆風を送らなければならない不都合もあった。
【０００５】
本発明は、上記した問題点を解決するためになされたものであり、その課題とするところは、高所低所に拘らず、室外に臨むエアーフィルタの機能回復を簡単に実施することができる給気換気システムを提供することであり、その給気換気システムの使い勝手を向上させることである。
【課題を解決するための手段】
【０００６】
上記課題を解決するために本発明は、室内外を連絡する三つの独立した風路を構成し、風路の一つには室外に臨むエアーフィルタを設け、他の風路の二つには、これらの風路を開閉する電動ダンパを設け、室内には、これらの二つの風路の一つを吸込み風路とし、他の一つの風路を吹出し風路とする送風機を設け、吸込み風路の電動ダンパを閉じたときには、吹出し風路の電動ダンパを開き、吸込み風路の電動ダンパを開いたときには、吹出し風路の電動ダンパを閉じるようにし、吸込み風路の電動ダンパを閉じる時間の方が開く時間より長時間に亘るようにする手段を採用する。
【発明の効果】
【０００７】
本発明によれば、風量・風速特性の同等な風を、高所低所に拘らずエアーフィルタに塵埃の剥離する方向から送風することができ、室外に臨むエアーフィルタの機能回復を簡単に実施することができる給気換気システムが得られる。
【発明を実施するための最良の形態】
【０００８】
本発明の給気換気システムは工場、倉庫、体育館、食堂等の室内を給気により換気する換気系として構成される。この換気系は、室内外を連絡する三つの独立した風路が構成されている。風路の一つには室外に臨む着脱可能のエアーフィルタが設けられている。他の風路の二つには、これらの風路をそれぞれ開閉する電動ダンパが設けられている。室内には、これらの二つの風路の一つを吸込み風路とし、他の一つの風路を吹出し風路とするプロペラ式の送風機を設け、吸込み風路の電動ダンパを閉じたときには、吹出し風路の電動ダンパを開き、吸込み風路の電動ダンパを開いたときには、吹出し風路の電動ダンパを閉じるようにし、吸込み風路の電動ダンパを閉じる時間の方が開く時間より長時間に亘るように設定されている。
【０００９】
この給気換気システムによれば、吸込み風路の電動ダンパを閉じ、吹出し風路の電動ダンパを開けて送風機を運転させることにより外気を、エアーフィルタを通して室内へ取入れて吹出し風路から室外へ排気する、給気換気を行なうことができる。この給気換気によりエアーフィルタの室外側には塵埃が堆積していき、その量が多くなると給気風量が低下して換気性能が下がる。そこで、一旦送風機を停止させて、吸込み風路の電動ダンパを開き、吹出し風路の電動ダンパを閉じて、送風機を運転させる。これにより、外気は、エアーフィルタも無く圧力損失の少ない吸込み風路から室内を巡り、エアーフィルタを反対向きに通過して風路から室外へ排気される。この気流によりエアーフィルタに捕集された塵埃は振落とされ、エアーフィルタの機能は回復される。エアーフィルタの清掃が済んだら、所期の給気換気の運転に戻す。
【００１０】
実施の形態１．
図１は、本実施の形態の給気換気システムの給気換気時を示すシステム構成図、図２は、同じく給気換気システムのエアーフィルタ機能回復時を示すシステム構成図、図３は、給気換気システムの制御回路を示すブロック構成図、図４は、給気換気システムの他の制御回路を示すブロック構成図である。
【００１１】
本実施の形態の給気換気システムは工場、倉庫、体育館、食堂等の室内１を給気により換気する換気系として構成される。この換気系は、室内外を連絡する三つの独立した風路２，３，４が構成されている。風路２，３，４の一つ２には室外に臨む着脱可能のエアーフィルタ５が設けられている。他の風路３，４の二つには、これらの風路３，４をそれぞれ開閉する電動ダンパ６，７が設けられている。室内１には、これらの二つの風路３，４の一つの風路３を吸込み風路とし、他の一つの風路４を吹出し風路とするプロペラ式の送風機８を設け、吸込み風路の電動ダンパ６を閉じたときには、吹出し風路の電動ダンパ７を開き、吸込み風路の電動ダンパ６を開いたときには、吹出し風路の電動ダンパ７を閉じるように制御回路９により制御される。制御回路９は、吸込み風路の電動ダンパ６を閉じる時間の方が開く時間より長時間に亘るよう制御する。吸込み風路は、風路２より圧力損失が少なく設定されている。
【００１２】
この給気換気システムによれば、制御回路９により吸込み風路の電動ダンパ６が閉じられ、吹出し風路の電動ダンパ７が開放されて、送風機８が運転される。これにより外気を、エアーフィルタ５を通して室内へ取入れて吹出し風路から室外へ排気する、給気換気を行なわせることができる（図１参照）。この給気運転の積算時間が制御回路９で積算され、積算時間が所定値を超えたらタイマー１０による時限運転で、エアーフィルタ５の能力回復運転を行なう（図２参照）。即ち、給気換気によりエアーフィルタ５の室外側には塵埃が堆積していき、その量が多くなると給気風量が低下して換気性能が下がる。そこで、一旦、送風機を停止し、吸込み風路の電動ダンパ６を開き、吹出し風路の電動ダンパ７を閉じて送風機８を運転させるエアーフィルタの能力回復運転を行なわせる。これにより、外気は、エアーフィルタ５も無く、圧力損失の少ない吸込み風路から室内１を巡り、エアーフィルタ５を反対向きに通過して風路２から室外へ排気される。この気流によりエアーフィルタ５に捕集された塵埃は振落とされ、エアーフィルタ５の機能は回復する。エアーフィルタ５の清掃が済んだら、制御回路９は、所期の給気換気の運転に給気換気システムを戻す。給気換気運転の時間に比べエアーフィルタ５の能力回復運転の時間は短く設定されている。能力回復運転に移行したら、給気運転の積算時間はクリヤされる。なお、能力回復運転は、夜間等に限って行なうようにしても良い。
【００１３】
図４に示すように、エアーフィルタ５に圧力センサー１１を設け、この圧力センサー１１の出力値を制御回路９でモニタして、エアーフィルタ５の圧力損失が所定より高くなってから所定の間、吹出し風路の電動ダンパ７を閉じるようにしても良い。この給気換気システムでは、高所低所に拘らず、室外に臨むエアーフィルタ５の機能回復を簡単に実施することができ、制御回路９による自動運転を実現することにより使い勝手も向上する。
【図面の簡単な説明】
【００１４】
【図１】給気換気システムの給気換気時を示すシステム構成図である。（実施の形態１）
【図２】給気換気システムのエアーフィルタ機能回復時を示すシステム構成図である。（実施の形態１）
【図３】給気換気システムの制御回路を示すブロック構成図である。（実施の形態１）
【図４】給気換気システムの他の制御回路を示すブロック構成図である。（実施の形態１）
【符号の説明】
【００１５】
１  室内、  ２，３，４  風路、  ５  エアーフィルタ、  ６，７  電動ダンパ、  ８  送風機、  １０  タイマー、  １１  圧力センサー。
【図１】
2008014540.tif 000003
【図２】
2008014540.tif 000004
【図３】
2008014540.tif 000005
【図４】
2008014540.tif 000006